(57)【要約】【課題】缶水ブロー実行時においても、蒸気の乾き度の低下及び水管の破損を防止可能な給水制御装置を提供すること。【解決手段】本発明の給水制御装置は、複数の水管２１を有するボイラ２と、ボイラ２に給水する給水ポンプ４と、特定の水位を満たすように給水ポンプ４の制御を行う制御部６と、ボイラ２の水を排水可能なブロー装置７と、を備え、制御部６は、ブロー装置７によりボイラ２の排水が行われた場合には、水管２１の内部の水の水位が排水前の第１の水位よりも高い水位である第２の水位となるように給水ポンプ４の制御を行う。【選択図】図１
2010096489.tif 000002
【特許請求の範囲】
【請求項１】
複数の水管を有するボイラと、
前記ボイラに給水する給水ポンプと、
特定の水位を満たすように前記給水ポンプの制御を行う制御部と、
前記ボイラの排水を可能とするブロー装置と、を備え、
前記制御部は、前記ブロー装置により前記ボイラの排水が行われた場合には、前記水管の内部の水位が排水前の第１の水位よりも高い水位である第２の水位となるように前記給水ポンプの制御を行うことを特徴とする給水制御装置。
【請求項２】
前記第２の水位は、少なくとも前記ブロー装置による排水量に基づき設定されることを特徴とする請求項１に記載の給水制御装置。
【請求項３】
前記第２の水位は、更に前記ボイラにより生成される蒸発量に基づいて設定されることを特徴とする請求項２に記載の給水制御装置。
【発明の詳細な説明】
【技術分野】
【０００１】
本発明は、ボイラに用いられる給水制御装置に関する。
【背景技術】
【０００２】
例えば、缶水を加熱して蒸気を生成するボイラは、蒸気を生成すると、缶水に含まれる不純物がボイラ缶体に残り、缶水が不純物により濃縮される。この状態でボイラの運転を継続すると缶水が過度に濃縮してキャリーオーバを引き起こすおそれがある。
【０００３】
また、例えば、ボイラを長時間稼働させた場合においても、缶水に含まれる不純物により、缶水は濃縮する。この場合においては、不純物によりスラッジ等が生成され、生成されたスラッジ等はボイラ缶体の底部に堆積していく。そして、このスラッジ等の堆積は、ボイラにおける蒸気の生成能力を低下させるおそれがある。
【０００４】
そのため、従来より、ボイラ缶体から濃縮した缶水やスラッジ等を排出する、いわゆる缶水ブローが定期的に行われていた（例えば、特許文献１参照）。缶水ブローは、ボイラの運転時間や缶水の濃縮度等に基づいて行われており、通常、ボイラ缶体の底部から缶水又はスラッジ等を排出する。
【先行技術文献】
【特許文献】
【０００５】
【特許文献１】特開平０７−１２７８０８号公報
【発明の開示】
【発明が解決しようとする課題】
【０００６】
しかしながら、特許文献１に記載のボイラの缶水ブローは、缶水の水質やボイラ缶体の温度が変化した場合に、気泡の不発生等による水位膨張等を考慮した給水制御を行っていなかった。つまり、缶水ブローを行う前と同様の基準水位に基づく給水制御を行っていた。そのため、缶水ブローを行った後、蒸気の乾き度の低下や水管の損傷等の不具合を引き起こすおそれがあるという問題があった。
【０００７】
本発明は、缶水ブロー実行時においても、蒸気の乾き度の低下及び水管の損傷を防止可能な給水制御装置を提供することを目的とする。
【課題を解決するための手段】
【０００８】
本発明の給水制御装置は、複数の水管を有するボイラと、前記ボイラに給水する給水ポンプと、特定の水位を満たすように前記給水ポンプの制御を行う制御部と、前記ボイラの排水を可能とするブロー装置と、を備え、前記制御部は、前記ブロー装置により前記ボイラの排水がされた場合には、前記水管の内部の水位が排水前の第１の水位よりも高い水位である第２の水位となるように前記給水ポンプの制御を行うことを特徴とする。
【０００９】
また、前記第２の水位は、少なくとも前記ブロー装置による排水量に基づき設定されることが好ましい。
【００１０】
また、前記第２の水位は、更に前記ボイラにより生成される蒸発量に基づいて設定されることが好ましい。
【発明の効果】
【００１１】
本発明によれば、缶水ブロー実行時においても、蒸気の乾き度の低下及び水管の破損を防止可能な給水制御装置を提供することができる。
【図面の簡単な説明】
【００１２】
【図１】本発明の第１実施形態に係る水位制御装置の概略構成を示す概略図である。
【図２】第１実施形態に係る給水制御装置の缶水ブローに係る給水制御処理を示すフローチャートである。
【図３】本発明の第２実施形態に係る水位制御装置の概略構成を示す概略図である。
【図４】第２実施形態に係る給水制御装置の缶水ブローに係る給水制御処理を示すフローチャートである。
【発明を実施するための形態】
【００１３】
以下、本発明の実施形態について図面を参照しながら説明する。
［第１実施形態］
まず、図１を参照して本発明の第１実施形態に係る給水制御装置１について説明する。
図１は、本発明の第１実施形態に係る給水制御装置１の概略構成を示す概略図である。
図１に示すように、第１実施形態に係る給水制御装置１は、ボイラとしてのボイラ本体２と、水位検出装置３と、給水ポンプ４と、気水分離器５と、制御部６と、第１ブロー装置としての第１ブロー弁７及び第２ブロー装置としての第２ブロー弁８と、を備える。
【００１４】
第１実施形態に係る給水制御装置１は、ボイラ本体２の運転時における燃焼量、蒸気圧力、給水ポンプ４から給水される水の給水温度及びボイラ本体２に導入された水（以下、「缶水」という）の電気伝導度に応じて、給水ポンプ４による給水量を調整し、第１の水位としての基準水位（Ｓ）に基づく給水制御を行う。また、給水制御装置１は、缶水ブローを行った場合においては、更に、後述の下部ヘッダ２２の温度及び缶水ブロー後の缶水の電気伝導度に応じて、給水ポンプ４による給水量を調整し、所定時間及び第２の水位としてのブロー水位（ＳＳ）に基づく給水制御を行う。
【００１５】
ここで、「基準水位（Ｓ）」とは、ボイラ本体２の通常運転時における燃焼量、蒸気圧力、給水ポンプ４から給水される水の給水温度及び缶水の電気伝導度に応じて決定される水管２１の内部の水位をいう。
【００１６】
また、「ブロー水位（ＳＳ）」とは、基準水位（Ｓ）よりも高い水位であって、第１実施形態においては、缶水ブロー後におけるボイラ本体２の燃焼量、蒸気圧力、給水ポンプ４から給水される水の給水温度、下部ヘッダ２２の温度及び缶水ブロー後の缶水の電気伝導度に応じて設定される水管２１の内部の水位をいう。
【００１７】
図１に示すように、ボイラ本体２は、ボイラ缶体２０と、複数の水管２１と、下部ヘッダ２２と、上部ヘッダ２３と、加熱バーナ２４と、を備える。
【００１８】
ボイラ缶体２０は、略円筒状に形成されており、ボイラ本体２の外観を構成する。
複数の水管２１は、ボイラ缶体２０の内部に収容されており、ボイラ缶体２０の円周方向に所定の間隔で立設されている。また、複数の水管２１は、ボイラ缶体２０の略中央部に設けられた燃焼室２５を区画する。つまり、複数の水管２１は、ボイラ缶体２０の内部において、燃焼室２５を囲むようにボイラ缶体２０の円周方向に所定間隔で立設されている。
【００１９】
加熱バーナ２４は、燃焼室２５の上方に設けられている。加熱バーナ２４は、複数の水管２１の内部に導入された缶水を加熱して、気水混合気（蒸気）を生成する。また、加熱バーナ２４は、燃料ライン２４ａを介して燃料タンク（図示せず）と接続されている。燃料ライン２４ａには流量調整弁２４ｂが設けられている。加熱バーナ２４の燃焼量は、流量調整弁２４ｂの開度調整により連続的又は段階的に調整されるように構成されている。例えば、加熱バーナ２４は、流量調整弁２４ｂの開度が１００％の高燃焼、開度が５０％の低燃焼及び開度が０％の停止等に調整可能に構成されている。
【００２０】
下部ヘッダ２２は、ボイラ缶体２０の下部に設けられ、複数の水管２１の下端に連結されている。下部ヘッダ２２には、給水ライン４ａの一方側が接続されている。また、給水ライン４ａの他方側には、給水タンク（図示せず）に接続された給水ポンプ４が接続されている。下部ヘッダ２２には、給水タンクに貯留された水が給水ポンプ４によって給水ライン４０を介して導入される。下部ヘッダ２２に導入された水は、加熱バーナ２４によって加熱される複数の水管２１に導入される。本実施形態に係るボイラ本体２は、いわゆる貫流ボイラを構成する。
【００２１】
また、下部ヘッダ２２には、缶水を排水可能なブローライン７ａが接続されている。ブローライン７ａには、第１ブロー弁７が設けられている。第１ブロー弁７は、回線６ａを通じて制御部６に接続されている。給水制御装置１は、制御部６に所定のタイミングで第１ブロー弁７を開放させることにより、給水ポンプ４により導入される水（冷却水等）及び／又は下部ヘッダ２２に導入された缶水（高濃度缶水等）をスラッジ等と共に、全量又は所定量、下部ヘッダ２２から排出（缶水ブロー）可能に構成されている。
【００２２】
上部ヘッダ２３は、ボイラ缶体２０の上部に設けられ、複数の水管２１の上端に連結されている。上部ヘッダ２３には、気水ライン５ａの一方側が接続されている。また、気水ライン５ａの他方側には気水分離器５が接続されている。上部ヘッダ２３は、加熱バーナ２４により複数の水管２１で生成された気水混合気（蒸気）を集め、気水ライン５ａを介して気水分離器５へ送り出す。
【００２３】
気水分離器５は、気水ライン５ａを介して上部ヘッダ２３と接続されている。気水分離器５は、加熱バーナ２４により生成され、上部ヘッダ２３から送り出された気水混合気（蒸気）を乾き蒸気と水分とに分離させる。また、気水分離器５は、所定の機器（図示せず）に接続された蒸気連絡ライン５１ａに接続されている。気水分離器５により分離された乾き蒸気は、蒸気連絡ライン５１ａを介して所定の機器に送り出される。なお、所定の機器への乾き蒸気の送り出しは、蒸気連絡ライン５１ａに設けられる開閉バルブ５１ｂの開閉により調整される。
【００２４】
一方、気水分離器５により分離された水分は、気水分離器５と下部ヘッダ２２とを連結する降水ライン５２ａを介して下部ヘッダ２２に送り出される。ここで、降水ライン５２ａには、濃縮ブローライン８ａが接続されている。濃縮ブローライン８ａには、第２ブロー弁８が設けられている。第２ブロー弁８は、回線６ａを通じて制御部６に接続されている。給水制御装置１は、制御部６からの指令に基づいて第２ブロー弁８を開放することにより、気水分離器５により分離された所定の水（高濃度缶水等）、給水ポンプ４により導入される水（冷却水等）及び／又はボイラ本体２の起動時における水等を排水（以下、「濃縮ブロー」という）可能に構成されている。
【００２５】
また、降水ライン５２における濃縮ブローライン８ａの下流側には、電気伝導度測定センサ５３が設けられている。電気伝導度測定センサ５３は、給水制御装置１の起動時に給水される水の電気伝導度及びボイラ本体２の長時間運転等により濃縮した缶水の電気伝導度等を測定する。
【００２６】
水位検出装置３は、導通可能な金属により形成される水位制御筒３０と、高水位電極棒３１と、中水位電極棒３２と、低水位電極棒３３と、を備える。
【００２７】
水位制御筒３０は、両端が封止された略円筒形状に形成されている。水位制御筒３０の上端部には、連通パイプ３ａが接続されており、連通パイプ３ａは、上部ヘッダ２３に接続されている。また、水位制御筒３０の下端部には、連通パイプ３ｂが接続されており、連通パイプ３ｂは、下部ヘッダ２２に接続されている。水位制御筒３０は、上端部及び下端部が上部ヘッダ２３及び下部ヘッダ２２を介して水管２１と連通することにより、水管に導入される缶水と同様の缶内水位を水位制御筒３０の内部に実現させる。
【００２８】
高水位電極棒３１は、一端側に形成される外部接続端子３１ａと、他端側に形成される電極部３１ｂと、を備え、水位制御筒３０の内部における基準水位（Ｓ）を検出する。なお、基準水位（Ｓ）は、ボイラ本体２の通常運転時における目標水位である。
【００２９】
外部接続端子３１ａは、水位制御筒３０の外部に突出しており、筒状の絶縁体（図示せず）により、水位制御筒３０の上端部に保持されている。
電極部３１ｂは、棒状のステンレスにより形成されており、水位制御筒３０の内部に配置されている。また、電極部３１ｂは、水位制御筒３０の内部に導入される缶水の基準水位（Ｓ）を検出可能な長さに形成されている。
【００３０】
高水位電極棒３１は、外部接続端子３１ａを所定の電源部（図示せず）の一方側に接続し、電源部の他方側を水位制御筒３０に接続して通電状態にすることにより、水位制御筒３０の内部の缶水が基準水位（Ｓ）に達し、電極部３１ｂが缶水と接触した場合に、基準水位（Ｓ）を検出する。
【００３１】
中水位電極棒３２は、一端側に設けられる外部接続端子３２ａと、他端側に設けられる電極部３２ｂと、を備え、水位制御筒３０の内部における中水位（Ｍ）を検出する。なお、中水位（Ｍ）は、水位制御筒３０の内部の水が中水位（Ｍ）を満たさなくなることを条件に、ボイラ缶体２０に給水を開始させる水位である。
【００３２】
外部接続端子３２ａは、水位制御筒３０の外部に突出しており、筒状の絶縁体（図示せず）により、水位制御筒３０の上端部に保持されている。
電極部３２ｂは、棒状のステンレスにより形成されており、水位制御筒３０の内部に配置されている。また、電極部３２ｂは、水位制御筒３０の内部に導入される缶水の中水位（Ｍ）を検出可能な長さに形成されている。
【００３３】
中水位電極棒３２は、外部接続端子３２ａを所定の電源部（図示せず）の一方側に接続し、電源部の他方側を水位制御筒３０に接続して通電状態にすることにより、水位制御筒３０の内部の缶水が中水位（Ｍ）に達し、電極部３２ｂが缶水と接触した場合に、中水位（Ｍ）を検出する。
【００３４】
低水位電極棒３３は、一端側に設けられる外部接続端子３３ａと、他端側に設けられる電極部３３ｂと、を備え、水位制御筒３０の内部における低水位（Ｌ）を検出する。なお、低水位（Ｌ）は、水位制御筒３０の内部の水が低水位（Ｌ）を満たさなくなることを条件に、ボイラ本体２にインターロック等をかけ、ボイラ本体２の稼働を停止させる水位である。
【００３５】
外部接続端子３３ａは、水位制御筒３０の外部に突出しており、筒状の絶縁体（図示せず）により、水位制御筒３０の上端部に保持されている。
電極部３３ｂは、棒状のステンレスにより形成されており、水位制御筒３０の内部に配置されている。また、電極部３３ｂは、水位制御筒３０の内部に導入される缶水の低水位（Ｌ）を検出可能な長さに形成されている。
【００３６】
低水位電極棒３３は、外部接続端子３２ａを所定の電源部（図示せず）の一方側に接続し、電源部の他方側を水位制御筒３０に接続して通電状態にすることにより、水位制御筒３０の内部の缶水が低水位（Ｌ）に達し、電極部３２ｂが缶水と接触した場合に、低水位（Ｌ）を検出する。
【００３７】
給水ポンプ４は、給水ライン４ａを介して下部ヘッダ２２と接続されている。また、給水ライン４ａには、逆止弁４ｂが設けられている。逆止弁４ｂは下部ヘッダ２２から給水ポンプ４側へ水が逆流することを防止する。なお、給水ポンプ４と給水タンク（図示せず）との間には、薬注タンク（図示せず）が薬注ポンプ（図示せず）を介して接続されており、缶水の電気伝導度に応じて所定の薬剤が下部ヘッダ２２に注入可能な構成となっている。
【００３８】
制御部６は、回線６ａを介して、給水ポンプ４、第１ブロー弁７、第２ブロー弁８、流量調整弁２４ｂ、高水位電極棒３１、中水位電極棒３２、低水位電極棒３３及び電気伝導度測定センサ５３に接続されている。制御部６は、高水位電極棒３１、中水位電極棒３２及び低水位電極棒３３の検出結果等に基づいた給水ポンプ４の起動及び停止、缶水ブロー時における第１ブロー弁７の開閉、電気伝導度測定センサ５３により入力される電気伝導度に基づく濃縮ブロー時における第２ブロー弁８の開閉、及び加熱バーナ２４に供給される燃料の調整を行う流量調整弁２４ｂの開度調整等、所定の制御をそれぞれの条件に基づき行う。
【００３９】
次に、第１実施形態に係る給水制御装置１の給水制御について説明する。
第１実施形態に係る給水制御装置１の給水制御は、水管２１に導入される缶水の水位と同様の水位を満たす水位制御筒３０の内部の缶内水位に基づいて行われる。
【００４０】
まず、第１実施形態に係る給水制御装置１の通常運転時における給水制御について説明する。加熱バーナ２４による水管２１への加熱により、水管２１の内部の缶水から蒸気が生成されると、水管２１の内部の缶水が減り、水管２１の缶内水位が低下する。これに伴い、水位制御筒３０の内部の缶内水位も低下する。
【００４１】
ここで、水位制御筒３０の内部の缶内水位が中水位（Ｍ）まで低下すると、中水位電極棒３２の電極部３３ｂの下端が缶水に接触しなくなる。これにより、水位検出装置３が水位制御筒３０の内部の水位が中水位（Ｍ）を満たさない旨の信号が、水位検出装置３から回線６ａを介して制御部６に送信される。
【００４２】
水位検出装置３から中水位（Ｍ）を満たさない旨の信号が送信されると、制御部６は、給水ポンプ４を稼働させ、ボイラ缶体２０の内部への給水を開始する。給水ポンプ４により、ボイラ缶体２０の内部への給水が開始されると、水管２１の内部の缶内水位が上昇を開始する。
【００４３】
給水ポンプ４の稼働により、水管２１の内部の缶内水位が上昇すると、これに伴い、水位制御筒３０の内部の缶内水位が上昇する。そして、水位制御筒３０の内部の缶内水位が基準水位（Ｓ）まで上昇すると、高水位電極棒３１の電極部３１ｂの下端が缶水に接触する。電極部３１ｂの下端が缶水に接触すると、高水位電極棒３１は基準水位（Ｓ）を検出する。高水位検出電極棒３１が基準水位（Ｓ）を検出すると、水位検出装置３から回線６ａを介して缶内水位が基準水位（Ｓ）まで上昇した旨の信号が制御部６に送信される。水位検出装置３から缶内水位が基準水位（Ｓ）まで上昇した旨の信号を受信すると、制御部６は、給水ポンプ４を停止させる。
【００４４】
給水制御装置１は、使用者によりボイラ本体２の停止操作が行われるまで蒸気の生成により増減する缶内水位に対して上述の給水制御を繰り返す。
なお、缶内水位における低水位（Ｌ）はボイラ本体２の限界水位であり、低水位（Ｌ）よりも缶内水位が低くなった場合には、制御部６は、水位異常を出力する共に、ボイラ本体２にインターロックをかけ、ボイラ本体２の稼働を停止させる。
【００４５】
次に、給水制御装置１の缶水ブロー実施時における給水制御について説明する。図２は、第１実施形態に係る給水制御装置１の缶水ブローに係る給水制御処理を示すフローチャートである。第１実施形態に係る給水制御装置１は、原則として、ボイラ本体２の所定の稼働時間の経過に基づいて缶水ブローを行う。なお、缶水ブローは、一日１回行うことが好ましい。
【００４６】
まず、給水制御装置１は、通常運転時における基準水位（Ｓ）に基づく給水制御が行われている状態（ステップＳ１０）から、缶水ブローが必要か否かの判断を行う（ステップＳ１５）。ここで、缶水ブローが必要か否かの判断は、原則として、ボイラ本体２の稼働時間に基づいて判断される。なお、缶水ブローが必要か否かの判断は、ボイラ本体２の稼働時間に加え、缶水の濃度に基づいて行われる構成としてもよい。
【００４７】
ステップＳ１５において、所定の稼働時間の経過により、缶水ブローが必要であると判断した場合には、ステップＳ２０に進み、ボイラ本体２を停止させる。一方、缶水ブローが不要であると判断された場合には、ステップＳ１０に戻り、缶水ブローが必要になるまで基準水位（Ｓ）を目標水位とする基準水位制御を継続する。
【００４８】
ステップＳ２０において、ボイラ本体２を停止すると、給水制御装置１は、制御部６に第１ブロー弁７を全量又は所定量開弁させ（ステップＳ２５）、ボイラ缶体２０（下部ヘッダ２２）から缶水を排水させる。これにより、スラッジ等がボイラ缶体２０（下部ヘッダ２２）から缶水と共に排出される。
【００４９】
なお、本実施形態に係る給水制御装置１は、缶水の全量を排水する全ブロー、又は缶水の半分を排水する半ブローのいずれかを行うことができる。例えば、全ブローを行った場合においては、すべてのスラッジ等を排出することが可能になる。一方、半ブローを行った場合においては、例えば、缶水のｐｈを大きく下げることなくスラッジ等を排出させることが可能になる。
【００５０】
また、全ブロー又は半ブローの実施時においては、給水ポンプ４において給水される水をブローライン７ａに導入し、排出させる缶水と混合させる構成としてもよい。給水ポンプ４において給水される水と排出する缶水と混合させて缶水を冷却することにより、缶水の排水時におけるフラッシュの発生を防止することが可能になる。
【００５１】
次に、ステップＳ３０において、第１ブロー弁７からの排水が終了すると、制御部６は、第１ブロー弁７を閉弁し（ステップＳ４０）、ボイラ缶体２０（下部ヘッダ２２）からの排水を停止する。
【００５２】
全ブロー又は半ブローが終了し（ステップＳ３０）、第１ブロー弁７を閉弁すると（ステップＳ４０）、給水制御装置１は、ブロー水位（ＳＳ）を設定する（ステップＳ４５）。このとき、ボイラ本体２は、缶水ブローにより缶水を排水したため下部ヘッダの温度が低下している。また、缶水ブローにより、導入された缶水の電気伝導度（水質）も変化している。そのため、気泡の不発生等による水位膨張等を考慮した給水制御を行う必要がある。つまり、排水量よりも多い缶水（排水量に所定量を加えた缶水）を導入して基準水位（Ｓ）よりも高い水位を設定する必要がある。具体的には、ブロー水位（ＳＳ）は、ボイラ本体２の運転時における燃焼量、蒸気圧力、給水ポンプ４から給水される水の給水温度、缶水の電気伝導度、及び下部ヘッダ２２の温度に基づいて設定される（ステップＳ４５）。
【００５３】
ステップＳ４５において、ブロー水位（ＳＳ）を設定すると、制御部６は、給水ポンプ４を稼働させ（ステップＳ５０）、ボイラ缶体２０（下部ヘッダ２２）への給水を開始する。給水ポンプ４による給水を開始すると、給水制御装置１は、給水ポンプ４による給水量を調整してブロー水位（ＳＳ）に基づく缶内水位の制御を行う。すなわち、基準水位（Ｓ）よりも水位位置の上昇したブロー水位（ＳＳ）を目標水位とする制御を行う（ステップＳ５５）。
【００５４】
ステップＳ５５において、ブロー水位（ＳＳ）まで水位制御筒３０の内部の缶水が上昇し、缶内水位がブロー水位（ＳＳ）を満たすと、給水制御装置１は、給水ポンプ４を停止させ（ステップＳ６０）、給水を終了する。なお、給水ポンプ４は、ブロー水位（ＳＳ）を満たすまで稼働し、ボイラ缶体２０（下部ヘッダ２２）への給水を行う。
【００５５】
次いで、給水ポンプ４によりブロー水位（ＳＳ）が満たされると、給水制御装置１は、ボイラ本体２を起動させ（ステップＳ６５）、蒸気の生成を開始する。
【００５６】
ブロー水位（ＳＳ）に基づく蒸気の生成が所定時間（Ｔ秒）行われると（ステップＳ７０）、水位制御筒３０内部の缶水が沸騰し、気泡を発生させている状態にある。そのため、給水制御装置１は、ボイラ本体２の運転時における燃焼量、蒸気圧力、給水ポンプ４から給水される水の給水温度及び缶水の電気伝導度に応じて、基準水位（Ｓ）を設定する（ステップＳ７５）。
【００５７】
ステップＳ７５において、給水制御装置１により基準水位（Ｓ）を設定すると、給水制御装置１は、ブロー水位（ＳＳ）から基準水位に（Ｓ）に目標水位を変更し、基準水位（Ｓ）を目標水位とする基準水位制御に基づく通常運転を行う（ステップＳ８０）。
【００５８】
なお、第１実施形態における給水制御装置１は、電気伝導度測定センサ５３により、缶水が所定の電気伝導度を満たさなくなった場合にもブローを行う（濃縮ブロー）。濃縮ブローにおいては、第２ブロー弁８を開閉することにより行われる。
【００５９】
例えば、電気伝導度測定センサ５３が測定した数値が電気伝導度測定センサ５３において予め設定した数値に達すると、電気伝導度測定センサ５３は、所定の制御信号を制御部６に送信する。制御部６は、電気伝導度測定センサ５３から送信された制御信号を受信すると、第２ブロー弁８を開弁させて、高濃度缶水等を外部に排水し、同時に給水ポンプ４を起動させて下部ヘッダ２２に給水を開始する。なお、給水は、ボイラ本体２の運転時における燃焼量、蒸気圧力、給水ポンプ４から給水される水の給水温度及び缶水の電気伝導度に応じて、給水ポンプ４による給水量を調整し、濃縮ブロー水位に基づく給水制御が行われることが好ましい。
【００６０】
そして、缶水全体の濃縮度が低下し、電気伝導度が規定値以下の数値になると、制御部６は、給水ポンプ４を停止させると共に第２ブロー弁８を閉弁させて、濃縮ブロー水位に基づく給水制御を終了し、新たに基準水位（Ｓ）に基づく給水制御を行う。
【００６１】
以上のような構成を有する第１実施形態に係る給水制御装置１によれば、以下の効果を奏する。
【００６２】
第１実施形態に係る水位制御装置１は、缶水ブローの実施により缶水の水質やボイラ缶体の温度が変化した場合には、ボイラ本体２の運転時における燃焼量、蒸気圧力、給水ポンプ４から給水される水の給水温度、缶水の電気伝導度、及び下部ヘッダ２２の温度に応じて、給水ポンプ４による給水量を調整し、ブロー水位（ＳＳ）に基づく給水制御を行う。つまり、基準水位（Ｓ）に基づく制御とは異なる、気泡の不発生等による水位膨張等を考慮した基準水位（Ｓ）よりも水位の高い給水制御が行われる。そのため、気泡の不発生等の水位不足による水管等の過熱を防止することが可能になる。これにより、水管の損傷を防止することが可能になる。
【００６３】
また、缶水ブローを実施した後に、ボイラ本体２の運転時における燃焼量、蒸気圧力、給水ポンプ４から給水される水の給水温度、缶水の電気伝導度、及び下部ヘッダ２２の温度に基づき、適正なブロー水位を検出して給水することにより、乾き度の低下した蒸気が生成されることを防止することが可能になる。
【００６４】
更に、ボイラ本体２の運転時における燃焼量、蒸気圧力、給水ポンプ４から給水される水の給水温度、缶水の電気伝導度、及び下部ヘッダ２２の温度に基づき、適正なブロー水位を検出して給水することにより、給水ポンプに不要な負荷を掛けることなく給水ポンプ４を使用することが可能になる。これにより、給水ポンプ４の故障等を抑制可能となり、給水ポンプ４の高寿命化を図ることが可能になる。
【００６５】
［第２実施形態］
次に、本発明の第２実施形態に係る給水制御装置１Ａについて、図３及び図４を参照しながら説明する。
なお、第２実施形態においては、主として、第１実施形態に係る給水制御装置１との相違点を中心に説明し、第１実施形態に係る給水制御装置１と同様の構成のものについては同じ符号を付して説明を省略する。つまり、第２実施形態においては、特に説明されない点については、第１実施形態についての説明が適宜適用される。また、第１実施形態と同様の構成のものについては、第１実施形態と同様の効果が奏される。
【００６６】
図３は、本発明の第２実施形態に係る水位制御装置１Ａの概略構成を示す概略図である。図３に示すように、第２実施形態に係る給水制御装置１Ａは、水管２１に収容した第２水位検出電極棒３２Ａを備える。そして、缶水ブローを行った場合においては、第２水位検出電極棒３２Ａを収容した水管２１から排水された缶水の排水量及び水管２１から蒸発した缶水の蒸発量に基づいて第２の水位としてのブロー水位（ＳＳ）を設定し、第２水位検出電極棒３２Ａを用いてブロー水位（ＳＳ）に基づく給水制御を行う。
【００６７】
具体的には、第２実施形態に係る給水制御装置１Ａは、通常運転時においては、ボイラ本体２の運転時における燃焼量、蒸気圧力、給水ポンプ４から給水される水の給水温度及びボイラ本体２に導入された水（以下、「缶水」という）の電気伝導度に応じて、給水ポンプ４による給水量を調整し、基準水位（Ｓ）に基づく給水制御を行う。
そして、缶水ブローを行った場合においては、給水制御装置１Ａは、更に、水管２１から排水された缶水の排水量（ボイラ本体２から排水された缶水の排水量）及び加熱バーナ２４の燃焼状態（例えば、高燃焼や低燃焼等の燃焼状態）に応じた水管２１における缶水のボイラ本体２により生成される蒸発量に基づいて、給水ポンプ４による給水量を調整し、所定時間、ブロー水位（ＳＳ）に基づく給水制御を行う。
【００６８】
なお、第２実施形態に係る「ブロー水位（ＳＳ）」とは、水管２１（ボイラ本体２）から排水された缶水の排水量及び加熱バーナ２４の燃焼状態に応じた水管２１における缶水のボイラ本体２により生成される蒸発量に基づいて設定される水管の内部の水位をいう。
また、蒸発量とは、ボイラ本体２において、単位時間あたりに蒸気をかえられる水の量をいう。
【００６９】
図３に示すように、第２実施形態に係る給水制御装置１Ａは、ボイラ本体２と、水位検出装置３Ａと、給水ポンプ４と、気水分離器５と、制御部６Ａと、第１ブロー弁７及び第２ブロー弁８と、を備える。
【００７０】
水位検出装置３Ａは、導通可能な金属により形成される水位制御筒３０と、水位制御筒３０に収容される第１水位検出電極棒３４と、水管２１に収容される第２水位検出電極棒３５と、を備える。
【００７１】
第１水位検出電極棒３４は、一端側に形成される外部接続端子３４ａと、他端側に形成される水位検出電極部３４ｂと、を備え、水位制御筒３０の内部における特定の水位（基準水位（Ｓ）、中水位（Ｍ）、低水位（Ｌ）等）を検出する。
【００７２】
外部接続端子３４ａは、水位制御筒３０の外部に突出しており、筒状の絶縁体（図示せず）により水位制御筒３０の上端部に保持されている。
水位検出電極部３４ｂは、棒状のステンレスにより形成されており、水位制御筒３０の内部に配置されている。水位検出電極部３４ｂの表面は、エンジニアプラスチックによる絶縁皮膜に覆われている。絶縁皮膜としては、例えば、耐熱性、耐高圧性及び耐薬品性の高いエンジニアプラスチックが好ましく、ポリエーテルエーテルケトン、ポリエーテルケトン、ポリエーテルケトンケトン、ポリアリルエーテルケトン等のケトン系合成樹脂材料、又は耐熱性の高いポリエーテルエーテルケトンが例示できる。また、水位検出電極部３４ｂは、水位制御筒３０の内部に導入される缶水の特定の水位を検出可能な所定の長さに形成されている。
【００７３】
第１水位検出電極棒３４は、外部接続端子３４ａを所定の電源部（図示せず）の一方側に接続し、電源部の他方側を金属製の水位制御筒３０に接続して通電状態にすることにより、水位制御筒３０の内部において缶水と接触した水位検出電極部３４ｂの接触部分がコンデンサとなり、水位検出電極部３４ｂの表面に被覆された絶縁皮膜を誘電体として、水位検出電極部３４ｂと水位制御筒３０との間の静電容量を測定可能となる。そして、測定された静電容量により、水位制御筒３０の内部における缶水の水位を検出する。
【００７４】
第２水位検出電極棒３５は、一端側に形成される外部接続端子３５ａと、他端側に形成される電極部３５ｂと、を備え、水管２１の内部におけるブロー水位（ＳＳ）を検出する。
【００７５】
外部接続端子３５ａは、水管２１の外部に突出しており、筒状の絶縁体（図示せず）により、水管２１の上端部に保持されている。
電極部３５ｂは、棒状のステンレスにより形成されており、水管２１の内部に配置されている。また、電極部３５ｂは、水管２１の内部に導入される缶水のブロー水位（ＳＳ）を検出可能な所定の長さに形成されている。
【００７６】
第２水位検出電極棒３５は、外部接続端子３５ａを所定の電源部（図示せず）の一方側に接続し、電源部の他方側を金属製の水管２１に接続して通電状態にすることにより、水管２１の内部の缶水がブロー水位（ＳＳ）に達し、電源部３５ｂが缶水に接触した場合にブロー水位（ＳＳ）を検出する。
【００７７】
制御部６Ａは、回線６ａを介して、給水ポンプ４、第１ブロー弁７、第２ブロー弁８、流量調整弁２４ｂ、第１水位検出電極棒３４、第２水位検出電極棒３５及び電気伝導度測定センサ５３に接続されている。制御部６Ａは、第１水位検出電極棒３４及び第２水位検出電極棒３５の検出結果等に基づいた給水ポンプ４の起動及び停止、缶水ブロー時における第１ブロー弁７の開閉、電気伝導度測定センサ５３により入力される電気伝導度に基づく濃縮ブロー時における第２ブロー弁８の開閉、及び加熱バーナ２４に供給される燃料の調整を行う流量調整弁２４ｂの開度調整等、所定の制御をそれぞれの条件に基づき行う。
【００７８】
次に、第２実施形態に係る給水制御装置１Ａの給水制御について説明する。
第２実施形態に係る給水制御装置１Ａの給水制御は、水位検出装置３Ａにより検出される水位制御筒３０の缶内水位及び水管２１の缶内水位に基づいて行われる。
【００７９】
まず、第２実施形態に係る給水制御装置１Ａの通常運転時における給水制御について説明する。加熱バーナ２４による水管２１への加熱により、水管２１の内部の缶水から蒸気が生成されると、水管２１の内部の缶水が減り、水管２１の缶内水位が低下する。これに伴い、水位制御筒３０の内部の缶内水位も低下する。
ここで、水位制御筒３０の内部の缶内水位が中水位（Ｍ）まで低下すると、水位検出装置３Ａにおける水位検出電極部３４の通電状態が変化し、水位検出装置３Ａが水位検出電極部３４ｂの通電状態が中水位（Ｍ）以下を示すことを検出する。これにより、水位検出装置３Ａは、中水位（Ｍ）を満たさない旨の信号を制御部６Ａに送信する。
【００８０】
水位検出装置３Ａから中水位（Ｍ）を満たさない旨の信号が送信されると、制御部６Ａは、給水ポンプ４を稼働させ、ボイラ缶体２０の内部への給水を開始する。給水ポンプ４により、ボイラ缶体２０の内部への給水が開始されると、水管２１の内部の缶内水位が上昇を開始する。
【００８１】
給水ポンプ４により、水管２１の内部の缶内水位が上昇すると、これに伴い、水位制御筒３０の内部の缶内水位が上昇する。水位制御筒３０の内部の缶内水位が基準水位（Ｓ）まで上昇すると、水位検出装置３Ａにおける水位検出電極部３４ｂの通電状態が変化し、水位検出装置３Ａが水位検出電極部３４ｂの通電状態が基準水位（Ｓ）を示すことを検出する。これにより、水位検出電極部３４ｂは、基準水位（Ｓ）を満たす旨の信号を制御部６Ａに送信する。水位検出装置３Ａから缶内水位が基準水位（Ｓ）を満たす旨の信号を受信すると、制御部６Ａは、給水ポンプ４を停止させる。
【００８２】
給水制御装置１Ａは、使用者によりボイラ本体２の停止操作が行われるまで蒸気の生成により増減する缶内水位に対して上述の給水制御を繰り返す。
なお、缶内水位における低水位（Ｌ）はボイラ本体２の限界水位であり、水位検出電極部３４ｂの通電状態が低水位（Ｌ）以下を示す場合には、制御部６は、水位異常を出力する共に、ボイラ本体２にインターロックをかけ、ボイラ本体２の稼働を停止させる。
【００８３】
次に、給水制御装置１Ａの缶水ブロー実施時における給水制御について説明する。なお、給水制御装置１Ａの缶水ブロー実施時における給水制御は、以下に限られない。図４は、第２実施形態に係る給水制御装置１Ａの缶水ブローに係る給水制御処理を示すフローチャートである。
【００８４】
まず、給水制御装置１Ａは、通常運転時における基準水位（Ｓ）に基づく給水制御が行われている状態（ステップＳ１１０）から、缶水ブローが必要か否かの判断を行う（ステップＳ１１５）。ここで、缶水ブローが必要か否かの判断は、原則として、ボイラ本体２の稼働時間に基づいて判断される。なお、缶水ブローが必要か否かの判断は、ボイラ本体２の稼働時間に加え、缶水の濃度に基づいて行われる構成としてもよい。
【００８５】
ステップＳ１１５において、所定の稼働時間の経過により、缶水ブローが必要であると判断された場合には、ステップＳ１２０に進む。一方、缶水ブローが不要であると判断された場合には、ステップＳ１１０に戻り、缶水ブローが必要になるまで基準水位（Ｓ）を目標水位とする基準水位制御を継続する。
【００８６】
次に、給水制御装置１Ａは、制御部６Ａに第１ブロー弁７を全量又は所定量開弁させ（ステップＳ１２０）、ボイラ缶体２０（下部ヘッダ２２）から缶水を排水させる。これにより、スラッジ等がボイラ缶体２０（下部ヘッダ２２）から缶水と共に排出される。
【００８７】
ステップＳ１２５において、第１ブロー弁７からの排水が終了すると、制御部６Ａは、第１ブロー弁７を閉弁し（ステップＳ１３０）、ボイラ缶体２０（下部ヘッダ２２）からの排水を停止させる。第１ブロー弁７を閉弁すると、給水制御装置１は、ブロー水位（ＳＳ）を設定する（ステップＳ１３５）。
ここで、ブロー水位（ＳＳ）は、ボイラ本体２（水管２１）から排水された缶水の排水量及び加熱バーナ２４の燃焼状態に応じた（水管２１における）缶水の蒸発量に基づいて基準水位（Ｓ）よりも高い水位となるように設定される。具体的には、缶水の排水量及び蒸発量をボイラ本体２に給水した場合に相当する水位に基づいてブロー水位（ＳＳ）を設定する。
【００８８】
ステップＳ１３５において、ブロー水位（ＳＳ）が設定されると、制御部６Ａは、給水ポンプ４を稼働させ（ステップＳ１４０）、ボイラ缶体２０（下部ヘッダ２２）への給水を開始する。給水ポンプ４による給水が開始されると、給水制御装置１は、給水ポンプ４による給水量を調整してブロー水位（ＳＳ）に基づく缶内水位の制御を行う（ステップＳ１４５）。
【００８９】
ステップＳ１４５において、ブロー水位（ＳＳ）まで水位制御筒３０の内部の缶水が上昇し、缶内水位がブロー水位（ＳＳ）を満たすと、給水制御装置１Ａは、給水ポンプ４を停止し（ステップＳ１５０）、給水を終了する。
【００９０】
給水ポンプ４によりブロー水位（ＳＳ）が満たされると、給水制御装置１Ａは、所定時間（Ｔ秒間）、ブロー水位（ＳＳ）に基づく制御を行う。
【００９１】
ブロー水位（ＳＳ）に基づく制御が所定時間行われると、水位制御筒３０の内部の缶水が沸騰し、気泡を発生させている状態にあるため、給水制御装置１Ａは、ボイラ本体２の運転時における燃焼量、蒸気圧力、給水ポンプ４から給水される水の給水温度及び缶水の電気伝導度に応じて、基準水位（Ｓ）を設定する（ステップＳ１６０）。
【００９２】
ステップＳ１６０において、給水制御装置１Ａにより基準水位（Ｓ）が設定されると、給水制御装置１Ａは、ブロー水位（ＳＳ）から基準水位に（Ｓ）に目標水位を変更し、基準水位（Ｓ）を目標水位とする基準水位制御に基づく通常運転を行う（ステップＳ１６５）。
【００９３】
以上のような構成を有する本発明の第２実施形態に係る給水制御装置１Ａによれば、以下の効果を奏する。
第２実施形態に係る給水制御装置１Ａは、第２水位検出電極棒３２Ａを収容した水管２１から排水された缶水の排水量及び水管２１から蒸発した缶水の蒸発量に基づいてブロー水位（ＳＳ）を設定し、第２水位検出電極棒３２Ａを用いてブロー水位（ＳＳ）に基づく給水制御を行う。
ここで、缶水ブローを行った場合には水管２１の水位が下がり、水管２１の下部近傍まで水位が下がると、ボイラ本体２の下部ヘッダ２２が加熱する。これにより、下部ヘッダ２２が損傷するおそれがある。また、水管２１における缶水は、電気伝導率を適当な濃度にすることが好ましい。そのため、水管２１における缶水の水位を適当な水位にする必要がある。
第２実施形態に係る給水制御装置１Ａは、排水量及び蒸発量に基づいてブロー水位を決定する。つまり、排水及び蒸発した缶水とほぼ同量の缶水を補給することにより、水管２１の水位を基準水位よりも高い水位である適当な水位に容易にすることができる。これにより、例えば、下部ヘッダ２２の損傷や缶水の濃度が不適切な濃度になることを防止することができる。
【００９４】
なお、本発明の実施形態は、上記実施形態（第１実施形態及び第２実施形態）に何ら限定されることなく、本発明の技術的範囲は、これらに限定されるものではない。また、本発明の実施形態に記載された効果は、本発明から生じる最も好適な効果を列挙したに過ぎず、本発明による効果は、上記実施形態に記載されたものに限定されない。
【００９５】
例えば、第１実施形態においては、給水制御装置１の缶水ブロー実施時における給水制御は、ボイラ本体２を停止させて行ったが、本発明においてはこれに限らない。給水制御装置１の缶水ブロー実施時における給水制御は、ボイラ本体２の燃焼中に行ってもよい。
【００９６】
また、第１実施形態においては、給水制御装置１は、全ブロー又は半ブローのいずれかを行う構成としたが本発明においてはこれに限らない。給水制御装置は、所定量の缶水を排水可能に構成してもよい。この場合においては、例えば、ブロー率を２０％として場合は、蒸発量（加熱バーナ２４の燃焼状態（高燃焼状態や低燃焼状態）に基づく缶水の蒸発量）に０．２（２０％）を乗じた量を排水量としてもよい。
【００９７】
また、第１実施形態においては、高水位電極棒３１、中水位電極棒３２、低水位電極棒３３を用いて通電状態の変化により缶内水位を検出する構成としたが、本発明においてはこれに限らない。例えば、水位検出電極棒は、静電容量を測定することにより水位を検知する構成のものであってもよい。つまり、水位検出電極棒は、水位制御筒３０の内部の水の水位を検出であればよい。
【００９８】
また、第１及び第２実施形態においては、複数の水管２１をボイラ缶体２０の円周方向に所定の間隔で立設させると共に、略中央部に燃焼室２５を設け、燃焼室２５の上方に燃焼バーナ２４を配置させる構成としたが、本発明においてはこれに限らない。例えば、ボイラ缶体２０の周壁に加熱バーナ２４を配置させ、立設される複数の水管２１の側方からそれぞれの水管２１を加熱させる構成としてもよい。
【符号の説明】
【００９９】
１、１Ａ    水位制御装置
２    ボイラ本体（ボイラ）
３、３Ａ    水位検出装置
４    給水ポンプ
５    気水分離器
６、６Ａ    制御部
７    第１ブロー弁（ブロー装置）
８    第２ブロー弁（ブロー装置）
２１    水管
２２    下部ヘッダ
２３    上部ヘッダ
ＳＳ    ブロー水位（第２の水位）
Ｓ    基準水位（第１の水位）
Ｍ    中水位
Ｌ    低水位
【図１】
2010096489.tif 000003
【図２】
2010096489.tif 000004
【図３】
2010096489.tif 000005
【図４】
2010096489.tif 000006